(57)【要約】【課題】複数の車を駐車できる駐車スペース検索できるようにする。【解決手段】自車の位置情報を取得するとともにグループ設定してある他車との間で位置情報の交換が可能な複数の車１０ａ〜１０ｅと、複数のレストラン３０ａ〜３０ｃの駐車スペースの空き状況を登録しておくサーバ装置２０とを備えた待ち合わせ場所検索システムで、複数の車１０ａ〜１０ｅのうち駐車を希望する駐車希望車１０ａ〜１０ｃそれぞれで自車の位置情報を取得して駐車希望車１０ａに取得した位置情報を送信し、駐車希望車１０ａからサーバ装置２０に対して駐車希望車１０ａ〜１０ｃの台数（３台）と各駐車希望車１０ａ〜１０ｃの位置情報とを送信し、サーバ装置２０で台数と位置情報とに基づいて各駐車スペースの空き状況を参照することにより各駐車希望車１０ａ〜１０ｃの近傍であって送信された台数分が確保できる駐車スペースを割り出して駐車希望車１０ａへ返信する。【選択図】　　図１
2004020532.tif 000002
【特許請求の範囲】
【請求項１】
自車の位置情報を取得するとともにグループ設定してある他車との間で当該位置情報の交換が可能な複数の車と、複数の駐車スペースの空き状況を登録しておくサーバ装置とを備えた待ち合わせ場所検索システムであって、
前記複数の車のうち駐車を希望する駐車希望車それぞれで自車の位置情報を取得して当該駐車希望車のいずれかに取得した位置情報を送信し、
前記駐車希望車のいずれかから前記サーバ装置に対して前記駐車希望車の台数と当該各駐車希望車の位置情報とを送信し、
前記サーバ装置で前記台数と位置情報とに基づいて前記各駐車スペースの空き状況を参照することにより前記各駐車希望車の近傍であって送信された台数分が確保できる駐車スペースを割り出して少なくとも送信元の駐車希望車へ返信する待ち合わせ場所検索システム。
【請求項２】
前記駐車スペースは、飲食施設、娯楽施設、休憩施設を含む施設の駐車スペースである請求項１記載の待ち合わせ場所検索システム。
【請求項３】
さらに前記サーバ装置に前記各駐車スペースの空き状況と一対で前記施設で現在収容可能な人数状況を登録しておき、
前記駐車希望車のいずれかから前記サーバ装置に対して前記台数及び位置情報とともに各駐車希望車に乗っている人の人数を送信し、
前記サーバ装置で前記台数と位置情報と人数とに基づいて前記各施設の空き状況を参照することにより前記各駐車希望車の近傍であって送信された台数分が確保できる施設であって送信された人数を収容可能な施設を割り出して少なくとも送信元の駐車希望車へ返信する請求項２記載の待ち合わせ場所検索システム。
【請求項４】
前記駐車希望車のいずれかから前記サーバ装置を通じて駐車スペースの予約を行う請求項１から３のいずれか記載の待ち合わせ場所検索システム。
【請求項５】
前記複数の車は、前記サーバ装置側から返信される駐車スペースの位置と、少なくとも自車の位置とを表示するモニタを備える請求項１から４のいずれか記載の待ち合わせ場所検索システム。
【請求項６】
請求項１から５のいずれか記載の待ち合わせ場所検索システムの前記複数の車の各々に搭載されており、
自車の位置情報を取得する取得手段と、
前記サーバ装置側から返信される駐車スペースの位置と少なくとも自車の位置とを表示するモニタとを備えるカーナビゲーション装置。
【請求項７】
さらに希望する待ち合わせ場所の情報の交換を行う通信部を備える請求項６記載のカーナビゲーション装置。
【請求項８】
請求項１から５のいずれか記載の待ち合わせ場所検索システムのサーバ装置であって、前記駐車希望車のいずれかから送信される各種情報に基づいて、登録してある駐車スペースの空き状況を参照することによって前記各種情報の条件を満足する駐車スペースを割り出す検索手段を備えるサーバ装置。
【請求項９】
自車の位置情報を取得するとともにグループ設定してある他車との間で当該位置情報の交換が可能な複数の車に備えたコンピュータに以下の手順を実行させ、複数の駐車スペースの空き状況を登録しておくサーバ装置に備えたコンピュータに以下の手順を実行させるプログラムであって、
前記複数の車のコンピュータに、駐車を希望する駐車希望車それぞれで自車の位置情報を取得して当該駐車希望車のいずれかに取得した位置情報を送信する手順と、
前記駐車希望車のいずれかから前記サーバ装置に対して前記駐車希望車の台数と当該各駐車希望車の位置情報とを送信する手順とをを実行させ、
前記サーバ装置のコンピュータに、前記複数の車のプログラムにより送信された前記台数と位置情報とに基づいて前記各駐車スペースの空き状況を参照することにより前記各駐車希望車の近傍であって送信された台数分が確保できる駐車スペースを割り出して少なくとも送信元の駐車希望車へ返信する手順を含むプログラム。
【請求項１０】
自車の位置情報を取得するとともにグループ設定してある他車との間で当該位置情報の交換が可能な複数の車と、前記複数の車に乗っている人の待ち合わせが可能な場所の空き状況を登録しておくサーバ装置とを備えた待ち合わせ場所検索システムであって、
前記複数の車のうち待ち合わせを希望する人が乗っている特定車それぞれで自車の位置情報を取得して当該特定車のいずれかに取得した位置情報を送信し、
前記特定車のいずれかから前記サーバ装置に対して前記特定車に乗っている待ち合わせ希望する人数と当該各特定車の位置情報とを送信し、
前記サーバ装置で前記人数と位置情報とに基づいて前記各待ち合わせが可能な場所の空き状況を参照することにより前記各特定車の近傍であって送信された人数分が確保できる駐車スペースを割り出して少なくとも送信元の特定車へ返信する待ち合わせ場所検索システム。
【発明の詳細な説明】
【０００１】
【発明の属する技術分野】
本発明は、待ち合わせ場所検索システムに関し、特に、グループを構成する人が分乗した車を駐車できる待ち合わせ場所検索システムに関する。
【０００２】
【従来の技術】
従来、例えば分乗した車でグループ旅行をした場合に、各車が途中で互いにはぐれたりして、途中で車を停め、待ち合わせすることもある。
【０００３】
ここで、例えば特開２０００−２４２８９８、特開２０００−３３１２８４、特開２００１−２８０９８、特開平８−２０２９９５号公報、特開平８−３０４０８８号公報、特開平９−２５７４９８号公報、特開平１０−６２１８４号公報、特開平１０−６２１９２号公報、特開平１０−１４５５１０号公報、特開平１０−２０６１８１号公報には、車相互で位置情報を交換するものが記載されている。
【０００４】
このため、各車が途中で互いにはぐれたりした場合であっても、互いに取得した位置情報に基づいて待ち合わせすることも可能である。
【０００５】
【発明が解決しようとする課題】
しかし、従来の技術は、旅先などの土地勘のないところでは、実際の待ち合わせ場所を決定するのが困難である。特に、例えば地図を見ながら携帯電話機等で待ち合わせ場所を決めても、周囲に同様の施設等があれば混乱を生じさせたり、互いに異なる場所を待ち合わせ場所と思うこともあり、待ち合わせ場所で落ち合うことができない場合がある。
【０００６】
また、複数台の車のうちいくつかの車だけが休憩や食事等のために停めたい場合があるが、それらの各車を停められる駐車スペースの確保等が困難な場合がある。
【０００７】
そこで、本発明は、これらの事情を考慮して、複数の車を駐車できる駐車スペース検索できるようにすることを課題とする。
【０００８】
また、本発明は、複数の車に乗っている人の待ち合わせ場所を検索できるようにすることを課題とする。
【０００９】
【課題を解決するための手段】
上記課題を解決するために、本発明は、自車の位置情報を取得すると共にグループ設定してある他車との間で当該位置情報の交換が可能な複数の車と、複数の駐車スペースの空き状況を登録しておくサーバ装置とを備えた待ち合わせ場所検索システムであって、前記複数の車のうち駐車を希望する駐車希望車それぞれで自車の位置情報を取得して当該駐車希望車のいずれかに取得した位置情報を送信し、前記駐車希望車のいずれかから前記サーバ装置に対して前記駐車希望車の台数と当該各駐車希望車の位置情報とを送信し、前記サーバ装置で前記台数と位置情報とに基づいて前記各駐車スペースの空き状況を参照することにより前記各駐車希望車の近傍であって送信された台数分が確保できる駐車スペースを割り出して少なくとも送信元の駐車希望車へ返信する。
【００１０】
また、本発明のカーナビゲーション装置は、上記の待ち合わせ場所検索システムの前記複数の車の各々に搭載されており、自車の位置情報を取得する取得手段と、前記サーバ装置側から返信される駐車スペースの位置と少なくとも自車の位置とを表示するモニタとを備える。
【００１１】
さらに、本発明は、上記待ち合わせ場所検索システムのサーバ装置であって、前記駐車希望車のいずれかから送信される各種情報に基づいて、登録してある駐車スペースの空き状況を参照することによって前記各種情報の条件を満足する駐車スペースを割り出す検索手段を備える。
【００１２】
さらにまた、本発明は、自車の位置情報を取得するとともにグループ設定してある他車との間で当該位置情報の交換が可能な複数の車に備えたコンピュータに以下の手順を実行させ、複数の駐車スペースの空き状況を登録しておくサーバ装置に備えたコンピュータに以下の手順を実行させるプログラムであって、前記複数の車のコンピュータに、駐車を希望する駐車希望車それぞれで自車の位置情報を取得して当該駐車希望車のいずれかに取得した位置情報を送信する手順と、前記駐車希望車のいずれかから前記サーバ装置に対して前記駐車希望車の台数と当該各駐車希望車の位置情報とを送信する手順とをを実行させ、前記サーバ装置のコンピュータに、前記複数の車のプログラムにより送信された前記台数と位置情報とに基づいて前記各駐車スペースの空き状況を参照することにより前記各駐車希望車の近傍であって送信された台数分が確保できる駐車スペースを割り出して少なくとも送信元の駐車希望車へ返信する手順を含む。
【００１３】
また、本発明は、自車の位置情報を取得するとともにグループ設定してある他車との間で当該位置情報の交換が可能な複数の車と、前記複数の車に乗っている人の待ち合わせが可能な場所の空き状況を登録しておくサーバ装置とを備えた待ち合わせ場所検索システムであって、前記複数の車のうち待ち合わせを希望する人が乗っている特定車それぞれで自車の位置情報を取得して当該特定車のいずれかに取得した位置情報を送信し、前記特定車のいずれかから前記サーバ装置に対して前記特定車に乗っている待ち合わせ希望する人数と当該各特定車の位置情報とを送信し、前記サーバ装置で前記人数と位置情報とに基づいて前記各待ち合わせが可能な場所の空き状況を参照することにより前記各特定車の近傍であって送信された人数分が確保できる駐車スペースを割り出して少なくとも送信元の特定車へ返信する。
【００１４】
すなちは、本発明は、例えば、各施設では来客者の増加による収益が見込まれ、サーバ装置側では各施設からの登録料による収益が見込まれ、車側では自車の位置の応じた待ち合わせや施設の予約を行えるというメリットがある。
【００１５】
【発明の実施の形態】
以下、本発明の実施形態について図面を参照して説明する。
【００１６】
［構成の説明］
図１は、本発明の実施形態の待ち合わせ場所検索システムの模式的な構成図である。
【００１７】
図１には、自車の位置情報を取得するとともにグループ設定してある他車との間で位置情報等の交換が可能な複数の車１０ａ〜１０ｅと、車１０ａ〜１０ｅで自車の位置情報を取得するためのＧＰＳ衛星４０と、駐車スペース付きの複数のレストラン３０ａ〜３０ｃと、複数のレストラン３０ａ〜３０ｃの駐車スペースの空き状況を登録しておくサーバ装置２０とを示している。
【００１８】
本実施形態では、複数の車１０ａ〜１０ｅのうち駐車を希望する駐車希望車（例えば、ここでは車１０ａ〜１０ｃ）それぞれで自車の位置情報を取得して駐車希望車１０ａ〜１０ｃのいずれか（例えば、ここでは車１０ａ）に取得した位置情報を送信し、車１０ａからサーバ装置２０に対して少なくとも駐車希望車の台数（ここでは３台）と各駐車希望車１０ａ〜１０ｃの位置情報とを送信し、サーバ装置２０で送信された台数及び位置情報等に基づいて各駐車スペースの空き状況を参照することにより各駐車希望車の近傍であって送信された台数分が確保できる駐車スペースを割り出して少なくとも送信元の駐車希望車１０ａへ返信するようにしている。
【００１９】
なお、図１には、レストラン３０ａ〜３０ｃという飲食施設を例に挙げているが、パチンコ店などの娯楽施設、ドライブインなどの休憩施設などのように、駐車スペースがある施設を含む。
【００２０】
さらにサーバ装置２０に各駐車スペースの空き状況と一対でレストラン３０ａ〜３０ｃで現在収容可能な人数状況を登録しておき、駐車希望車１０ａからサーバ装置２０に対して送信された台数及び位置情報とともに各駐車希望車に乗っている人の人数を送信し、サーバ装置２０で人数も加味して、レストランを割り出してもよい。
【００２１】
また、後述するように、駐車希望車１０ａからサーバ装置２０を通じて、入店可能なレストランの予約を行うようにしてもよい。
【００２２】
図２は、図１の車１０ａ〜１０ｅに搭載されているカーナビゲーション装置の模式的な内部構成を示すブロック図である。
【００２３】
図２には、ＧＰＳ衛星４０との間で電波を送受信して自車の位置情報を取得する取得手段１１と、サーバ装置２０側から返信される駐車スペースの位置や少なくとも自車の位置などを表示するモニタ１２と、取得手段１１で取得した自車の位置情報の交換を行ったりサーバ装置２０に対して各駐車希望車１０ａ〜１０ｃの台数及び位置情報とともに各駐車希望車１０ａ〜１０ｃの乗車人数を含む各種情報を送信する通信部１３と、サーバ装置２０を通じて入店可能なレストランの予約を行う予約部１４とを示している。
【００２４】
なお、予約部１４を用いずに入店可能なレストランに電話等で予約をしてもいいし、通信部１３での自車の位置情報の交換に代えて携帯電話機などで位置情報の交換をするようにしてもよい。
【００２５】
図３は、図１のサーバ装置２０の模式的な内部構成を示すブロック図である。
【００２６】
図３には、レストラン３０ａ〜３０ｃから送られてくる駐車スペースの空き状況を登録しておくメモリ２１と、駐車希望車１０ａから送信される各種情報に基づいてメモリ２１を参照することによって各種情報の条件を満足する駐車スペースを割り出す検索手段２２と、駐車希望車１０ａから送信される各種情報やレストラン３０ａ〜３０ｃから送信された駐車スペースの空き状況を受信したり検索手段２２の検索によって割り出した駐車スペースを少なくとも送信元の駐車希望車１０ａへ返信する通信部２３と、通信部２３で受信したレストラン３０ａ〜３０ｃから送られてくる駐車スペースの空き状況をメモリ２１に登録する登録部２４とを示している。
【００２７】
なお、各種情報としては、例えばトイレの有無、ジュースなどの自動販売機の有無、おみやげなどの売店の有無などのように、ドライブに関連する各種情報をや、駐車スペースに駐車可能かどうかを確認するために大型，ＲＶなどの車種情報を含んでいる。
【００２８】
図４は、図３のメモリ２１のレストラン３０ａ〜３０ｃの空き状況等の模式的な登録状態を示す図である。
【００２９】
図４には、レストラン３０ａ〜３０ｃの住所、電話番号、空き駐車スペース、収容可能人数、車種制限の有無を登録できるようにしている様子を示している。ここではレストラン３０ａでは空き駐車スペース５台，収容可能人数１５人，車種制限の無し、レストラン３０ｂでは空き駐車スペース１０台，収容可能人数２０人，車種制限の無し、レストラン３０ｃでは空き駐車スペース１２台，収容可能人数３０人，普通乗用車以下の車種のみ駐車可能という車種制限の有る場合を示している。
【００３０】
［動作の説明］
つぎに、図１の待ち合わせ場所検索システムの動作について説明する。
【００３１】
図５は、図１の待ち合わせ場所検索システムの動作を示すタイムチャートである。
【００３２】
図６は、モニタ１２に表示する画面の模式図である。
【００３３】
まず、複数の車１０ａ〜１０ｅでは、ドライブ中に取得手段１１によって定期的にＧＰＳ衛星４０との間で電波の送受信を行い、自車の位置情報を取得する（ステップＳ１）。
【００３４】
具体的には、少なくとも３つ異常のＧＰＳ衛星との間で電波を送受信して、各電波の強度等に基づいて自車の位置情報を取得する。
【００３５】
なお、取得した自車の位置情報は、モニタ１２に自車のある位置の周辺地図とともに表示するようにしている。
【００３６】
また、ＧＰＳ衛星４０に代えて、携帯電話機の基地局との間で電波の送受信を行って、自車の位置情報を取得するようにしてもよい。
【００３７】
その後、例えばレストランなどで食事をとろうというときに、通信部１３で複数の車１０ａ〜１０ｅ相互で連絡を取り合い、レストランへ行く駐車希望車を特定する（ステップＳ２）。
【００３８】
この際、例えば車１０ａに搭載されたカーナビゲーション装置には、図６（ａ）に示すような画面が表示される。
【００３９】
図６（ａ）には、例えば車１０ａに搭載されたカーナビゲーション装置から車１０ｂ〜１０ｅに搭載されたカーナビゲーション装置に対して駐車希望車を特定するために送信する情報を入力する模式的な画面を示している。図６（ａ）に示すように、希望施設を「飲食施設」、「娯楽施設」、「休憩施設」の中から選択できるようにするとともに、データを送信する送信対象車を選択できるようにしている。ここでは「飲食施設」を選択して、車１０ｂ〜１０ｄに搭載されたカーナビゲーション装置にこの画像から入力された情報を送信するように選択している。
【００４０】
ここで、車１０ａ〜１０ｅに搭載されたカーナビゲーション装置間では、相互に種々の情報交換ができるように、乗車時等のように車の運転に先立って、各カーナビゲーション装置に割り当てられている通信に必要な情報（例えば電話番号）を登録しておく。
【００４１】
また、図６（ａ）の画面に従って入力されたデータが、上記の例では車１０ａのカーナビゲーション装置から車１０ｂ〜１０ｅのカーナビゲーション装置へ送信され、後述するように、車１０ｂ〜１０ｅのカーナビゲーション装置では車１０ａのカーナビゲーション装置から送信されたデータが表示される。
【００４２】
一方、レストラン３０ａ〜３０ｃからは、定期的に或いは客の入出店の際に駐車スペースの空き状況を集計してサーバ装置２０に送信しておく（ステップＳ３）。
【００４３】
客の入出店の際に駐車スペースの空き状況を集計するには、注文・会計の際に用いるＰＯＳシステムに送信機能を備えておき、客の注文時に駐車場の利用の有無及び利用時の台数を入力したら、サーバ装置２０に対して空き駐車スペースの状況を更新する情報を送信するようにし、さらに会計時にもサーバ装置２０に対して空き駐車スペースの状況を更新する情報を送信するようにすればよい。
【００４４】
サーバ装置２０では、レストラン３０ａ〜３０ｃから送られてくる駐車スペースの空き状況を通信部２３で受信し、受信した空き状況を登録部２４によってメモリ２１に登録する（ステップＳ４）。
【００４５】
図６（ｂ）は、図６（ａ）の画面に従って入力されたデータを受信した車１０ｂ〜１０ｅのカーナビゲーション装置の模式的な表示画面を示す図である。
【００４６】
図６（ｂ）に示すように、「飲食施設」で待ち合わせを希望する旨のデータに対して、「ＯＫ」「別施設を希望」「待ち合わせない」のいずれかを選択して車１０ａ側に返信できるようにしている。
【００４７】
ちなみに、ここでは駐車希望車が車１０ａ〜１０ｃとしているので、車１０ｂ，１０ｃ側で「ＯＫ」を選択し、車１０ｄ，１０ｅ側ｄ「別施設を希望」することになる。
【００４８】
また、駐車希望車である車１０ａ〜１０ｃ側では、通信部１３によって、取得した自車の位置情報の交換を行う。具体的には、ここでは車１０ｂ，１０ｃに搭載されたカーナビゲーション装置から車１０ａに搭載されたカーナビゲーション装置に対して自車の位置情報を送信すればよい（ステップＳ５）。
【００４９】
この際、例えば車１０ｂ〜１０ｅに搭載されたカーナビゲーション装置から車１０ａに搭載されたカーナビゲーション装置に対して返信されたデータに基づいて図６（ｃ）に示すような画面が作成される。
【００５０】
図６（ｃ）には、図６（ｂ）に示す画像から入力され送信された情報に基づく模式的な画面を示している。ここには、「飲食施設」に車１０ｂ，１０ｃが行くことを希望している状態を示しており、「飲食施設」に行くことを希望した車については「●」を、「別施設を希望」又は「待ち合わせない」を送信してきた車については「○」にする。
【００５１】
なお、「別施設を希望」を送信してきた車については、携帯電話機等で連絡を取り合い「●」に変更してもよい。
【００５２】
ここで、車１０ｂ，１０ｃに搭載されたカーナビゲーション装置から車１０ａに搭載されたカーナビゲーション装置に対しては、自車の位置情報のみならず、自車への乗車人数や、駐車希望場所等を送信するようにしてもよいし、これらの情報は予め、出発前等に相互に交換しておいてもよい。
【００５３】
つづいて、車１０ａに搭載されたカーナビゲーション装置では、図示しない送信ボタンが押下されると、通信部１３によって、車１０ａ〜１０ｃの各位置情報を含む各種情報を、サーバ装置２０へ送信する（ステップＳ６）。
【００５４】
例えば、希望施設として「飲食」施設、駐車スペースとして「３」台、乗車人数として「７」人、車種として「普通乗用車のみ」が送信される。
【００５５】
なお、「乗車人数」「車種」は車１０ａに事前に登録しておくか、車１０ｂ、１０ｃとの情報送受信時に取得するかして、車１０ａのカーナビゲーション装置に保存しておけばよい。
【００５６】
サーバ装置２０は、車１０ａ側から送信された各種情報を通信部２３によって受信して、検索手段２２によって各種情報に基づいてメモリ２１を参照することによって、各種情報の条件を満足する駐車スペースを割り出す（ステップＳ７）。
【００５７】
具体的には、車１０ａ〜１０ｃの駐車スペースがあって、例えば車１０ａ〜１０ｃに乗車している人の全員が入店でき、車１０ａ〜１０ｃからそれぞれほぼ等距離に位置するレストランを割り出すのであるが、このために、まず希望施設である「飲食施設」の中から、「空き駐車スペース」が３台以上の所をピックアップする。そして、それらの中から「収容可能人数」が７人を超えている所をピックアップする。こうして、レストランを割り出す。
【００５８】
図４に示しようにレストラン３０ａ〜３０ｃがこれらの全ての条件を満足するので、さらに住所等により、車１０ａ〜１０ｃからそれぞれほぼ等距離に位置するレストランを住所等に基づいて特定する。ちなみに、レストランを特定するまでの絞り込みの順序はこれらに限定されない。
【００５９】
なお、本実施形態では図６（ｃ）に示すように車種が「普通乗用車のみ」という情報をサーバ装置２０へ送信するようにしているので、車種制限を考慮してレストランを割り出していないが、「普通乗用車のみ」でない場合には、レストランの絞り込みの際に用いる。
【００６０】
割り出したレストランの位置情報は、通信部２３によって、車１０ａに搭載されたカーナビゲーション装置へ返信する（ステップＳ８）。
【００６１】
車１０ａに搭載されたカーナビゲーション装置では、通信部１３によって、返信されたレストランの位置情報を受信して、車１０ｂ，１０ｃに搭載されたカーナビゲーション装置へ送信する（ステップＳ９）。
【００６２】
車１０ａ〜１０ｃ側では、レストランの位置情報をモニタ１２に表示する（ステップＳ１０）。
【００６３】
この際、例えば車１０ａ〜１０ｅの各モニタ１２には、図６（ｄ）に示すような画面と、図６（ｅ）に示すような画面とを選択的に表示する。
【００６４】
図６（ｄ）には、図６（ａ）に示す画像から入力された情報の送信に応じて返信された駐車希望車１０ａ〜１０ｃの位置とレストランの位置とを示す模式的な画面を示している。図６（ｅ）には、車１０ａ（▲で図示）に搭載しているカーナビゲーション装置のモニタ１２の表示画面を示している。
【００６５】
なお、サーバ装置２０から車１０ａ〜１０ｃ側に対して、同報でレストランの位置情報を送信するようにしてもよい。この場合には、例えば車１０ａ側からサーバ装置２０に対して希望施設等の情報を送信する際に、車１０ｂ，１０ｃのアドレスを併せて送信すればい。
【００６６】
そして、車１０ａ〜１０ｃに搭載されたカーナビゲーション装置で、そのレストランで食事をしようということになれば、車１０ａ等から予約部１４によって、サーバ装置２０を通じて、そのレストランの予約を行う（ステップＳ１１）。
【００６７】
なお、途中の待ち合わせ場所だけでなく、目的地付近の駐車スペースの確保時にも、同様に、駐車スペースを検索できるようにしてもよい。
【００６８】
また、本実施形態では、駐車スペースを有する施設を検索する場合を例に説明したが、車１０ａ〜１０ｅ等に乗っている人の待ち合わせ場所として、駐車スペースを有しない施設を検索するようにしてもよい。この場合には、空き駐車スペースの条件を満足するかどうかを判断するステップを実行しないことになる。
【００６９】
また、図５に示したような手順のうち車に関する部分を実行するプログラムを、車１０ａ〜１０ｅに搭載されるカーナビゲーション装置に、サーバ装置に関する部分を実行するプログラムをサーバ装置２０にそれぞれ組み込むようにしてもよい。
【００７０】
さらに、車１０ａ〜１０ｅに搭載されるカーナビゲーション装置で、自車の位置検出を行う度に検出結果を検出時間と共に記憶しておき、検出結果等に基づいて車１０ａ〜１０ｅの進行方向を予測して、駐車スペース等の検索時にこの予測結果を車１０ａ等を通じてサーバ装置２０へ送信してもよい。
【００７１】
こうすると、サーバ装置２０での駐車スペース等の検索時に各駐車希望車が移動していることにより、各駐車希望車の過去の位置に基づいて駐車スペース等の割り出しがされることを防止することが可能となる。
【００７２】
また、上記のような効果を得るために、各車１０ａ〜１０ｅのカーナビゲーション装置で設定された走行ルートを、サーバ装置２０で駐車スペース等の検索するのに先だってサーバ装置２０へ送信しておいてもよい。
【００７３】
【発明の効果】
以上、説明したように、本発明によると、複数の車を駐車できる駐車スペース検索できるようにすることができる。
【図面の簡単な説明】
【図１】本発明の実施形態の待ち合わせ場所検索システムの模式的な構成図である。
【図２】図１の車１０ａ〜１０ｅに搭載されているカーナビゲーション装置の模式的な内部構成を示すブロック図である。
【図３】図１のサーバ装置２０の模式的な内部構成を示すブロック図である。
【図４】図３のメモリ２１のレストラン３０ａ〜３０ｃの空き状況等の模式的な登録状態を示す図である。
【図５】図１の待ち合わせ場所検索システムの動作を示すタイムチャートである。
【図６】モニタ１２に表示する画面の模式図である。
【符号の説明】
１０ａ〜１０ｅ　車
１１　取得手段
１２　モニタ
１３　通信部
１４　予約部
２０　サーバ装置
２１　メモリ
２２　検索手段
２３　通信部
２４　登録部
３０ａ〜３０ｃ　レストラン
４０　ＧＰＳ衛星
【図１】
2004020532.tif 000003
【図２】
2004020532.tif 000004
【図３】
2004020532.tif 000005
【図４】
2004020532.tif 000006
【図５】
2004020532.tif 000007
【図６】
2004020532.tif 000008